(57)【特許請求の範囲】
【請求項１】
魚釣り等に用いられる収納容器の容器本体に取り付けられる蓋体であって、
熱可塑性樹脂からなる蓋本体と、
前記蓋本体のエッジを前記蓋本体の表面側から裏面側にかけて被覆する被覆布と、
前記蓋本体表面側において前記被覆布上に配置された保護帯と、
を備えた収納容器蓋体。
【請求項２】
前記保護帯は前記被覆布及び蓋本体に縫合されている、請求項１に記載の収納容器蓋体。
【請求項３】
前記蓋本体は周縁付近が略直角に折り曲げられて形成されたカバー部を有しており、前記被覆布は前記カバー部のエッジを被覆している請求項１〜２のいずれかに記載の収納容器蓋体。
【請求項４】
前記蓋本体及びカバー部は、ポリプロピレン，ポリエチレン，ABS樹脂から選択される熱可塑性樹脂からなる合成樹脂板を熱圧加工することにより形成される、請求項３に記載の収納容器蓋体。
【発明の詳細な説明】
【０００１】
【発明の属する技術分野】
本発明は、魚釣り等のレジャーに用いる収納容器の蓋体に関する。
【０００２】
【従来の技術】
従来の収納容器は、プラスチック製の箱形の容器本体と、容器本体に蝶番等で開閉自在に取り付けられた蓋体とを有している。収納容器は、その用途に合わせて様々な大きさのものがあり、釣針入れや釣り餌入れ等の様々な用途に用いられる。
【０００３】
例えば、保冷用収納容器であれば、容器本体は内部に断熱材が充填されており、容器本体内の保冷性を高めている。そして、ドライブや釣りなどのレジャーの際に容器本体内に保冷したいジュースや魚が保冷剤と共に収納される。
【０００４】
【発明が解決しようとする課題】
この種の収納容器の蓋体でもっとも破損しやすい部分は、蓋体の周縁のエッジ部分である。使用時にエッジ部分が障害物に接触して傷ついたり亀裂が生じたりする恐れがある。また、製造時においても、製造した蓋体のエッジ部分が他の蓋体と接触して破損する恐れがある。
【０００５】
本発明の課題は、耐久性に優れ製造時の取扱も容易な収納容器の蓋体を提供することにある。
【０００６】
【課題を解決するための手段】
発明１にかかる収納容器蓋体は、魚釣り等に用いられる収納容器の容器本体に取り付けられる蓋体であって、熱可塑性樹脂からなる蓋本体と、蓋本体のエッジを蓋本体の表面側から裏面側にかけて被覆する被覆布と、蓋本体表面側において被覆布上に配置された保護帯と、を備えている。
この場合には、使用時にエッジ部分に障害物が接触しても、蓋本体のエッジを蓋本体の表面側から裏面側にかけて被覆している被覆布が、エッジ部分の損傷や亀裂を防止する。また、製造時においても同様にエッジ部の破損を防止できる。
【０００７】
また、蓋本体表面側の被覆布上の保護帯が、外部から障害物が接触する際に蓋本体のエッジ部分をさらに有効に保護する。さらに、保護帯がエッジ部分に外観上アクセントを付けて意匠性も向上する。
【０００８】
【０００９】
発明２にかかる収納容器蓋体は、発明１の蓋体であって、保護帯は被覆布及び蓋本体に縫合されている。
この場合には、保護帯が被覆布及び蓋本体に直接縫合されており、保護帯，被覆布及び蓋本体が互いに十分に固定され、耐久性がさらに向上する。
発明３にかかる収納容器蓋体は、発明１〜２のいずれかの蓋体であって、蓋本体は周縁付近が略直角に折り曲げられて形成されたカバー部を有しており、被覆布はカバー部のエッジを被覆している。
【００１０】
この場合には、カバー部が収納容器の容器本体上辺部を覆い保護する。ここで、蓋本体とカバー部とが一体的に熱可塑性樹脂から形成されており、強度が優れると共に外観にも優れる。さらに、蓋本体とカバー部とは、例えば射出成形等によって一体的に製造でき、製造過程の煩雑さを回避できる。
発明４にかかる容器蓋体は、発明３にかかる蓋体であって、蓋本体及びカバー部は、ポリプロピレン，ポリエチレン，ABS樹脂から選択される熱可塑性樹脂からなる合成樹脂板を熱圧加工することにより形成される。
【００１１】
この場合には、所定の熱可塑性樹脂からなる矩形板材を加工して蓋本体及びカバー部が一体的に形成される。板状を熱圧加工して蓋本体とカバー部とが一体的に形成されており製造が容易になる。
【００１２】
【発明の実施の形態】
［第１実施形態］
以下、本発明の第１実施形態について図面を参照しつつ説明する。
本発明の第１実施形態を採用した収納容器は、図１〜４に示すように、箱形の容器本体１と、容器本体１の開口を覆うように配置される内蓋２と、蝶番１０によって開閉可能なように容器本体１の上部設けられ内蓋２（図４参照）を内包する蓋体３と、蓋体３を容器本体１に固定する固定部４と、容器本体１に取り付けられ収納容器の運搬時に把持する把持部５とを有している。
【００１３】
容器本体１は、図４に詳しく示すように、ポリエチレン，ポリプロピレン，ABS樹脂等の一対の合成樹脂材１１の間にポリウレタン等の発泡樹脂材１２が挟み込まれて形成されている。この発泡樹脂材１２が容器本体１の断熱性を向上させている。また、合成樹脂材１１は外観を布状に似せるためエンボス加工が施されている。容器本体１の上端縁部１ａには内蓋２を係止可能なファスナーレール１３が背面側を除いて形成されている。また、図１及び図２に示すように、容器本体１の正面１ａには釣りに用いる小物等を収納可能なポケット部１４が設けられている。ポケット部１４の上縁のファスナ１４ａを開閉することによってポケット部１４内に小物を収納可能である。容器本体１の側面底部側にはシート材１５がポケット部１４も覆うように縫合または接着されている。このシート材１５は不織布等の布状部材やPVC等から成る。
【００１４】
また、容器本体１の両側面１ｂの中央付近にはそれぞれレザー製のハンドル１６が連結されている。ハンドル１６はナイロン繊維等からなる帯状部材であって、容器本体側面１ｂの底部側部分と高さ方向中央付近との２カ所で容器本体１に縫合されており、この縫合部分間においてユーザがハンドル１６を把持可能になっている。また、図２に詳しく示すように、縫合部分間においてその幅は他の部分余地小さくなっておりユーザが容易にこの部分を把持できるように工夫されている。このハンドル１６は、車内に収納容器を配置した際などにおいて側面方向より収納容器を引っぱり出す際に用いられる。さらに、ハンドル１６の上端にはフック１６ａが連結されており、肩掛けベルト（図示せず）が脱着自在に連結される。
【００１５】
内蓋２は、図４に示すように、容器本体１と同様に一対の防水性シート２１の間にポリスチレン等の合成樹脂板２２が挟み込まれて形成されている。容器本体１の背面側において縫合等によって固定されており、容器本体１上面開口を開閉自在に覆っている。容器本体１に縫合された部分以外の周縁部にはファスナー２３が配置されており、容器本体１のファスナーレール１３と噛合する。
【００１６】
蓋体３は、図５に示すように、ポリプロピレン，ポリエチレン，ABS樹脂等の熱可塑性樹脂から形成される板状部材である。そして、矩形板状の蓋本体３１と蓋本体３１の周縁が略直角に折り曲げられて蓋本体３１と一体的に形成されたカバー部３２とを有している。後に詳しく説明するように、蓋本体３１とカバー部とは１つの熱可塑性樹脂板から加工されている。この蓋体３は、図３に示すように、蝶番１０によって容器本体１の背面側において開閉自在に連結されており、倒伏時において容器本体１の上端周縁をカバー部３２が覆うように容器本体１上面に配置されている。そして、倒伏時において容器本体１の正面１ａ上端側に配置される固定部４によって固定される。なお、図２に示すように、カバー部３２の深さは容器本体１の正面側ほど浅く背面側ほど順次深くなるように傾斜して形成されている。
【００１７】
また、図４及び図７に示すように、蓋体３はカバー部３２のエッジを蓋体３の表面側から裏面側にかけて被覆する被覆布４１と、蓋体３表面側において被覆布４１上に配置された保護帯４２とをさらに有している。被覆布４１はナイロン繊維等で形成され、蓋体３のエッジを蓋体３の全周にわたって覆っており、蓋体３のエッジ端が露出しないようになっている。保護帯４２はPVCやポリエチレン等の合成樹脂やブタジエンゴム，天然ゴム等のゴム材から成る帯状の部材であって、被覆布４１上に縫合糸４３によって蓋体３のカバー部３２にかけて縫合されて固定されている。
【００１８】
さらに、蓋体３の蓋本体３１上には長辺方向に伸びる凸状部３１ａが形成されている。凸状部３１ａは、蓋本体３１の内面側において外面側に凹入し外面側において凸出している。さらにまた、蓋本体３１の角部付近には円形に凹入したドリンクホルダー３３が形成されている。図６に詳しく示すように、ドリンクホルダー３３は、缶ジュース等を配置可能な経を有し蓋本体３１の表面より窪んで円形に形成されるドリンク台３３ａと、ドリンク台３３ａよりさらにもう一段窪んで形成された排水部３３ｂとを有している。排水部３３ｂは蓋本体３１の角部へ連続して面一に形成され蓋本体３１の外部へ至る排水路３３ｃが併設されており、ドリンクホルダー３３内に溜まった水は排水部３３ｂ及び排水路３３ｃによって外部に排出される。
【００１９】
この蓋体３は、以下のようにして製造される。
まず、図８（ａ）に示すように、所定の熱可塑性樹脂からなる板状部材を用意する。そして、蓋本体３１の凸状部３１ａやカバー部３２，ドリンクホルダー３３等が型取られた型によって熱圧加工を施す。この熱圧加工によって熱可塑性樹脂板は成型され、図８（ｂ）に示すように、蓋本体３１とカバー部３２とが一体的に成型される。
【００２０】
次に、蓋体３のエッジ部分全周にわたって被覆布４１を蓋体３の表面側から裏面側にかけて配置し、必要であれば接着剤等により仮止めする。蓋体３の表面側の被覆布４１上に全周にわたって保護帯４２を被覆布４１と同様に接着剤等で仮止めし、保護帯４２及び被覆布４１を直接蓋体３のカバー部３２に縫合糸４３で縫合して固定する。
【００２１】
なお、必要に応じて、図８（ｃ）に示すように、成型した蓋体３にレザーシートや不織布，織物布またはこれらにPVCをコーティングした布材を貼り付けてもよい。布材を貼り付けるのは表面のみでも表裏両面に貼り付けてもよい。
このように構成された収納容器では、蓋体３のカバー部３２が容器本体１の上辺部分を覆っており、容器本体１内に水やゴミ等が侵入するのを防止すると共に容器本体１を保護している。ここで、蓋体３は熱可塑性樹脂板を熱圧加工して蓋本体３１及びカバー部３２が一体的に形成されている。蓋本体３１とカバー部３２との縫合面や連結部分がないため耐久性に優れると共に外観にも優れる。さらに製造も容易である。
【００２２】
また、使用時に蓋体３のエッジ部分に障害物が接触しても、カバー部３２のエッジを蓋体３の表面側から裏面側にかけて被覆している被覆布４１及び保護帯４２がエッジ部分の損傷や亀裂を防止する。さらに、保護帯４２が蓋体３のエッジ部分に外観上のアクセントを付けて意匠性も向上させている。
［他の実施形態］
（ａ）図９に示すように、蓋体３のエッジ部分を蓋体３の表側面から裏側面にかけて被覆するように被覆布４１を配置すると共に、保護帯４２も蓋体３の表側面から裏側面にかけて被覆布４１を覆うように配置してもよい。そして、縫合糸４３で蓋体３に被覆布４１と保護帯４２を縫合して固定する。
【００２３】
このように蓋体３のエッジ部分を覆うことで、蓋体３のエッジ部部分の損傷・亀裂をさらに十分に保護できる。
（ｂ）保護帯４２を設けることなく、被覆布４１のみを蓋部３のエッジ部分に配置してもよい。この場合、被覆布４１を蓋部３へ接着剤等により接着してもよく、また上記実施形態のように縫合糸４３で縫合してもよい。
（ｃ）蓋体３はカバー部３２が形成されておらず蓋本体３１のみからなる略矩形状のものでもよい。
（ｄ）被覆布４１及び保護帯４２は、特にエッジ部分を損傷しやすい容器本体１正面側の蓋部３のエッジ部分にのみ配置してもよい。
【００２４】
【発明の効果】
本発明にかかる収納容器の蓋体では、エッジ部分の破損・亀裂を有効に防止できる。
【図面の簡単な説明】
【図１】  本発明の第１実施形態を採用した収納容器の正面図。
【図２】  本発明の第１実施形態を採用した収納容器の側面図。
【図３】  本発明の第１実施形態を採用した収納容器の上面図。
【図４】  本発明の第１実施形態を採用した収納容器の部分断面図。
【図５】  本発明の第１実施形態を採用した収納容器の蓋部の断面図。
【図６】  図５の蓋部の一の角部付近の拡大図。
【図７】  図５の蓋部の他の角部付近の拡大図。
【図８】  図５の蓋部の製造工程を示した図。
【図９】  本発明の他の実施形態を採用した収納容器の蓋部の断面図。
【符号の説明】
１  容器本体
２  内蓋
３，４０  蓋部
４  固定部
５  把持部
３１  蓋本体
３１ａ  凸状部
３２  カバー部
３３  ドリンクホルダー
４１  被覆布
４２  保護帯
４３  縫合糸
【図１】
0004520550.tif 000002
【図２】
0004520550.tif 000003
【図３】
0004520550.tif 000004
【図４】
0004520550.tif 000005
【図５】
0004520550.tif 000006
【図６】
0004520550.tif 000007
【図７】
0004520550.tif 000008
【図８】
0004520550.tif 000009
【図９】
0004520550.tif 000010